(57)【要約】重複測定質量選択窓幅を使用して、試料を分析するためのシステムおよび方法が、提供される。試料の質量範囲は、プロセッサを使用して、２つ以上の標的質量選択窓幅に分割される。２つ以上の標的幅は、同一の幅または可変幅を有することができる。タンデム質量分析計は、プロセッサを使用して、質量範囲にわたって、２つ以上の断片化走査を行うように命令される。２つ以上の断片化走査の各断片化走査は、測定された質量選択窓幅を含む。２つ以上の断片化走査の２つ以上の測定された幅は、同一の幅または可変幅を有することができる。２つ以上の測定された質量選択窓幅のうちの少なくとも２つは、重複する。測定された質量選択窓幅内の重複は、少なくとも１つの標的質量選択窓幅に対応する。
2015517723.tif 000002
【特許請求の範囲】
【請求項１】
重複測定質量選択窓幅を使用して、試料を分析するためのシステムであって、前記システムは、
重複測定質量選択窓幅を可能にする質量分析器を含むタンデム質量分析計と、
前記タンデム質量分析計と通信するプロセッサと
を備え、
前記プロセッサは、試料の質量範囲を２つ以上の標的質量選択窓幅に分割し、前記タンデム質量分析計に、前記質量範囲にわたって２つ以上の断片化走査を行うように命令し、前記２つ以上の断片化走査の各断片化走査は、測定された質量選択窓幅を備え、前記２つ以上の断片化走査のうちの少なくとも２つの断片化走査の測定された質量選択窓幅内の重複は、前記２つ以上の標的質量選択窓幅の少なくとも１つの標的質量選択窓幅に対応する、システム。
【請求項２】
前記２つ以上の標的質量選択窓幅は、同一の幅を有する、先行システム請求項に記載の任意の組み合わせのシステム。
【請求項３】
前記２つ以上の標的質量選択窓幅は、可変幅を有する、先行システム請求項に記載の任意の組み合わせのシステム。
【請求項４】
前記２つ以上の断片化走査の２つ以上の測定された質量選択窓幅は、同一の幅を有する、先行システム請求項に記載の任意の組み合わせのシステム。
【請求項５】
前記２つ以上の断片化走査の２つ以上の測定された質量選択窓幅は、可変幅を有する、先行システム請求項に記載の任意の組み合わせのシステム。
【請求項６】
前記２つ以上の標的質量選択窓幅の各標的質量選択窓幅は、同一の数の測定された質量選択窓幅を含む重複測定質量選択窓幅に対応する、先行システム請求項に記載の任意の組み合わせのシステム。
【請求項７】
前記２つ以上の標的質量選択窓幅の各標的質量選択窓幅は、可変数の測定された質量選択窓幅を含む重複測定質量選択窓幅に対応する、先行システム請求項に記載の任意の組み合わせのシステム。
【請求項８】
前記プロセッサはさらに、前記少なくとも２つの断片化走査の測定された質量選択窓幅からの情報を組み合わせることによって、前記少なくとも１つの標的質量選択窓幅に関する情報を抽出することを含む、先行システム請求項に記載の任意の組み合わせのシステム。
【請求項９】
前記少なくとも２つの断片化走査の測定された質量選択窓幅からの情報を組み合わせることは、数学演算を含む、先行システム請求項に記載の任意の組み合わせのシステム。
【請求項１０】
前記少なくとも２つの断片化走査の測定された質量選択窓幅からの情報を組み合わせることは、論理演算を含む、先行システム請求項に記載の任意の組み合わせのシステム。
【請求項１１】
重複測定質量選択窓幅を使用して、試料を分析するための方法であって、前記方法は、
プロセッサを使用して、試料の質量範囲を２つ以上の標的質量選択窓幅に分割することと、
タンデム質量分析計に、プロセッサを使用して、前記質量範囲前記にわたって、２つ以上の断片化走査を行うように命令することと
を含み、
前記２つ以上の断片化走査の各断片化走査は、測定された質量選択窓幅を備え、前記２つ以上の断片化走査のうちの少なくとも２つの断片化走査の測定された質量選択窓幅内の重複は、前記２つ以上の標的質量選択窓幅の少なくとも１つの標的質量選択窓幅に対応する、方法。
【請求項１２】
前記２つ以上の標的質量選択窓幅は、同一の幅を有する、先行方法請求項に記載の任意の組み合わせの方法。
【請求項１３】
前記２つ以上の標的質量選択窓幅は、可変幅を有する、先行方法請求項に記載の任意の組み合わせの方法。
【請求項１４】
前記２つ以上の断片化走査の２つ以上の測定された質量選択窓幅は、同一の幅を有する、先行方法請求項に記載の任意の組み合わせの方法。
【請求項１５】
前記２つ以上の断片化走査の２つ以上の測定された質量選択窓幅は、可変幅を有する、先行方法請求項に記載の任意の組み合わせの方法。
【請求項１６】
前記２つ以上の標的質量選択窓幅の各標的質量選択窓幅は、同一の数の測定された質量選択窓幅を含む重複測定質量選択窓幅に対応する、先行方法請求項に記載の任意の組み合わせの方法。
【請求項１７】
前記２つ以上の標的質量選択窓幅の各標的質量選択窓幅は、可変数の測定された質量選択窓幅を含む重複測定質量選択窓幅に対応する、先行方法請求項に記載の任意の組み合わせの方法。
【請求項１８】
前記プロセッサを使用して、前記少なくとも２つの断片化走査の測定された質量選択窓幅からの情報を組み合わせることによって、前記少なくとも１つの標的質量選択窓幅に関する情報を抽出することをさらに含む、先行方法請求項に記載の任意の組み合わせの方法。
【請求項１９】
有形コンピュータ可読記憶媒体を備えるコンピュータプログラム製品であって、前記有形コンピュータ可読記憶媒体のコンテンツは、重複測定質量選択窓幅を使用して試料を分析するための方法を行うようにプロセッサ上で実行される命令を伴うプログラムを含み、前記方法は、
システムを提供することであって、前記システムは、１つ以上の個別のソフトウェアモジュールを備え、前記個別のソフトウェアモジュールは、分析モジュールおよび断片化走査モジュールを備える、ことと、
前記分析モジュールを使用して、試料の質量範囲を２つ以上の標的質量選択窓幅に分割することと、
タンデム質量分析計に、前記断片化走査モジュールを使用して、前記質量範囲にわたって、２つ以上の断片化走査を行うように命令することと
を含み、
前記２つ以上の断片化走査の各断片化走査は、測定された質量選択窓幅を備え、前記２つ以上の断片化走査のうちの少なくとも２つの断片化走査の測定された質量選択窓幅内の重複は、前記２つ以上の標的質量選択窓幅の少なくとも１つの標的質量選択窓幅に対応する、コンピュータプログラム製品。
【請求項２０】
前記少なくとも２つの断片化走査の測定された質量選択窓幅からの情報を組み合わせることによって、前記少なくとも１つの標的質量選択窓幅に関する情報を抽出することをさらに含む、先行コンピュータプログラム製品請求項に記載の任意の組み合わせのコンピュータプログラム製品。
【発明の詳細な説明】
【背景技術】
【０００１】
（関連出願への相互参照）
本出願は、２０１２年５月１８日に出願された米国仮特許出願第６１／６４９，１９９号の利益を主張する。上記文献の内容は、その全体として参照することによって本明細書において援用される。
【０００２】
（導入）
定質的かつ定量的両方の情報は、タンデム質量分析計から得ることができる。そのような器具では、前駆体イオンが、第１の質量分析器において選択され、断片化され、断片が、第２の質量分析器または第１の分析器の第２の走査において分析される。断片イオンスペクトルは、分子を同定するために使用することができ、１つ以上の断片の強度は、試料内に存在する化合物の量を定量化するために使用することができる。
【０００３】
選択反応モニタリング（ＳＲＭ）は、これの周知実施例であって、前駆体イオンが選択され、断片化され、単一イオンを伝送するように設定された第２の分析器に回される。応答は、選択された質量断片の前駆体が、選択された断片質量のイオンを与えるべき時にもたらされ、本出力信号は、定量化のために使用することができる。器具は、確認目的のためのいくつかの断片イオン、または異なる化合物を定量化するためのいくつかの前駆体断片の組み合わせを測定するように設定されてもよい。
【０００４】
分析の感度および特異性は、第１の質量分析ステップにおいて選択された質量窓の幅によって影響を受ける。広い窓は、より多くのイオンを伝送し、感度の増加をもたらすが、また、異なる質量のイオンも通過させ得る。すなわち、後者が、標的化合物と同一質量にある断片をもたらす場合、干渉が生じ、精度は、落ちるであろう。
【０００５】
いくつかの質量分析計では、第２の質量分析器は、高分解能で動作され、特異性が、大幅に回復され得るように、断片イオン窓を狭くすることを可能にすることができる。これらの器具はまた、本質的に、異なる断片を検出するように、全断片を検出してもよい。そのような器具では、広い窓を使用して、感度を最大限にするように実行可能である。
【０００６】
これらの最近開発された高分解能かつ高処理量の器具は、隣接または重複質量窓幅を伴う複数の走査を使用して、時間間隔内に質量範囲が正確に走査されることを可能にする。時間の分離間隔毎における一連の各スペクトルは、質量範囲全体に対する一連のスペクトルである。窓化質量分析走査を使用して、質量範囲全体を走査するための一例示的方法は、逐次窓化取得（ＳＷＡＴＨ）と呼ばれる。
【０００７】
現在、ＳＷＡＴＨユーザは、ＳＷＡＴＨ実験数、蓄積時間、およびまた、ピークにわたるデータ点の数の平衡を保つ必要がある。例えば、ユーザが、質量範囲にわたって、狭い質量窓幅の使用を試みる場合、結果は、十分な感度がなく、またはサイクル時間が大き過ぎて、ピークにわたって、十分なデータ点を提供することができないものとなり得る。
【発明の概要】
【課題を解決するための手段】
【０００８】
種々の実施形態では、システムおよび方法は、逐次窓化取得における窓の幅を減少させる一方、窓毎に費やされる時間を増加させる。窓は、２回以上、各領域を分析し、取得後に要求される情報を抽出するために、重複される。
【０００９】
種々の実施形態では、２つ以上の標的質量選択窓幅の各標的質量選択窓幅は、重複測定質量選択窓幅に対応する。標的質量選択窓幅に対応する測定された質量選択窓幅の数は、２つ以上の標的質量選択窓幅にわたって、同一または可変であることができる。
【００１０】
種々の実施形態では、プロセッサ５２０は、少なくとも２つの断片化走査の対応する重複測定質量選択窓幅からの情報を組み合わせることによって、少なくとも１つの標的質量選択窓幅に関する情報を抽出する。情報は、例えば、数学または論理演算を使用して組み合わせられる。
【００１１】
当業者は、後述の図面が、例証目的にすぎないことを理解するであろう。図面は、本教示の範囲をいかようにも制限することを意図するものではない。
【図面の簡単な説明】
【００１２】
【図１】図１は、本教示の実施形態が実装され得る、コンピュータシステムを例証する、ブロック図である。
【図２】図２は、種々の実施形態による、同一の数の重複測定質量選択窓幅を伴う、均一長の標的質量選択窓幅を走査するために使用される、均一長の重複測定質量選択窓幅の質量有効範囲の例証である。
【図３】図３は、種々の実施形態による、同一の数の重複測定質量選択窓幅を伴う、可変長の標的質量選択窓幅を走査するために使用される、可変長の重複測定質量選択窓幅の質量有効範囲の例証である。
【図４】図４は、種々の実施形態による、可変数の重複測定質量選択窓幅を伴う、均一長の標的質量選択窓幅を走査するために使用される、均一長の重複測定質量選択窓幅の質量有効範囲の例証である。
【図５】図５は、種々の実施形態による、重複質量選択窓幅を使用して、試料を分析するためのシステムを示す、概略図である。
【図６】図６は、種々の実施形態による、重複測定質量選択窓幅を使用して、試料を分析するための方法を示す、例示的流れ図である。
【図７】図７は、種々の実施形態による、重複質量選択窓幅を使用して、試料を分析するための方法を行う、１つ以上の個別のソフトウェアモジュールを含む、システムを示す、概略図である。
【発明を実施するための形態】
【００１３】
本教示の１つ以上の実施形態を詳細に説明する前に、当業者は、本教示が、その用途において、以下の発明を実施するための形態に記載される、または図面に例証される、構造、構成要素の配列、およびステップの配列の詳細に制限されないことを理解するであろう。また、本明細書で使用される表現および専門用語は、説明の目的のためであって、制限としてみなされるべきではないことを理解されたい。
【００１４】
コンピュータ実装システム
図１は、本教示の実施形態が実装され得る、コンピュータシステム１００を例証する、ブロック図である。コンピュータシステム１００は、情報を通信するためのバス１０２または他の通信機構と、情報を処理するために、バス１０２と結合されたプロセッサ１０４と、を含む。コンピュータシステム１００はまた、プロセッサ１０４によって実行される命令を記憶するために、バス１０２に結合される、ランダムアクセスメモリ（ＲＡＭ）または他の動的記憶デバイスであり得る、メモリ１０６を含む。メモリ１０６はまた、プロセッサ１０４によって実行される命令の実行の間、一時的変数または他の中間情報を記憶するために使用されてもよい。コンピュータシステム１００はさらに、プロセッサ１０４のための静的情報および命令を記憶するために、バス１０２に結合された読取専用メモリ（ＲＯＭ）１０８または他の静的記憶デバイスを含む。磁気ディスクまたは光ディスク等の記憶デバイス１１０は、情報および命令を記憶するために、提供され、バス１０２に結合される。
【００１５】
コンピュータシステム１００は、情報をコンピュータユーザに表示するために、バス１０２を介して、ブラウン管（ＣＲＴ）または液晶ディスプレイ（ＬＣＤ）等のディスプレイ１１２に結合されてもよい。英数字および他のキーを含む、入力デバイス１１４は、情報およびコマンド選択をプロセッサ１０４に通信するために、バス１０２に結合される。別のタイプのユーザ入力デバイスは、方向情報およびコマンド選択をプロセッサ１０４に通信し、ディスプレイ１１２上のカーソル移動を制御するためのマウス、トラックボール、またはカーソル方向キー等のカーソル制御１１６である。本入力デバイスは、典型的には、デバイスに、平面において、位置を指定可能にする、２つの軸、すなわち、第１の軸（すなわち、ｘ）および第２の軸（すなわち、ｙ）において、２自由度を有する。
【００１６】
コンピュータシステム１００は、本教示を行うことができる。本教示のある実装によると、結果は、メモリ１０６内に含有される１つ以上の命令の１つ以上のシーケンスを実行する、プロセッサ１０４に応答して、コンピュータシステム１００によって提供される。そのような命令は、記憶デバイス１１０等の別のコンピュータ可読媒体から、メモリ１０６内に読み込まれてもよい。メモリ１０６内に含有される命令のシーケンスの実行は、プロセッサ１０４に、本明細書に説明されるプロセスを行わせる。代替として、有線回路が、本教示を実装するためのソフトウェア命令の代わりに、またはそれと組み合わせて、使用されてもよい。したがって、本教示の実装は、ハードウェア回路およびソフトウェアの任意の具体的組み合わせに制限されない。
【００１７】
用語「コンピュータ可読媒体」は、本明細書で使用されるように、実行のために、命令をプロセッサ１０４に提供する際に関与する、任意の媒体を指す。そのような媒体は、不揮発性媒体、揮発性媒体、および伝送媒体を含むが、それらに制限されない、多くの形態をとってもよい。不揮発性媒体は、例えば、記憶デバイス１１０等の光学または磁気ディスクを含む。揮発性媒体は、メモリ１０６等の動的メモリを含む。伝送媒体は、バス１０２を備える配線を含む、同軸ケーブル、銅線、および光ファイバを含む。
【００１８】
コンピュータ可読媒体の一般的形態として、例えば、フロッピー（登録商標）ディスク、フレキシブルディスク、ハードディスク、磁気テープ、または任意の他の磁気媒体、ＣＤ−ＲＯＭ、デジタルビデオディスク（ＤＶＤ）、ブルーレイディスク、任意の他の光学媒体、サムドライブ、メモリカード、ＲＡＭ、ＰＲＯＭ、およびＥＰＲＯＭ、フラッシュ−ＥＰＲＯＭ、任意の他のメモリチップまたはカートリッジ、あるいはコンピュータが読み取ることができる、任意の他の有形媒体形態が挙げられる。
【００１９】
コンピュータ可読媒体の種々の形態は、実行のために、１つ以上の命令の１つ以上のシーケンスをプロセッサ１０４に搬送することに関わり得る。例えば、命令は、最初は、遠隔コンピュータの磁気ディスク上で搬送されてもよい。遠隔コンピュータは、命令をその動的メモリ内にロードし、モデムを使用して、電話回線を介して、命令を送信することができる。コンピュータシステム１００にローカルのモデムは、データを電話回線上で受信し、赤外線送信機を使用して、データを赤外線信号に変換することができる。バス１０２に結合された赤外線検出器は、赤外線信号内で搬送されるデータを受信し、データをバス１０２上に置くことができる。バス１０２は、データをメモリ１０６に搬送し、そこから、プロセッサ１０４は、命令を受信し、実行する。メモリ１０６によって受信された命令は、随意に、プロセッサ１０４によって実行前または後、記憶デバイス１１０上に記憶されてもよい。
【００２０】
種々の実施形態によると、プロセッサによって実行され、方法を行うように構成される命令は、コンピュータ可読媒体上に記憶される。コンピュータ可読媒体は、デジタル情報を記憶する、デバイスであることができる。例えば、コンピュータ可読媒体は、ソフトウェアを記憶するために、当技術分野において周知のように、コンパクトディスク読取専用メモリ（ＣＤ−ＲＯＭ）を含む。コンピュータ可読媒体は、実行されるように構成される命令を実行するために好適なプロセッサによってアクセスされる。
【００２１】
本教示の種々の実装の以下の説明は、例証および説明の目的のために提示される。包括的でもなく、本教示を開示される精密な形態に制限するものでもない。修正および変形例は、前述の教示に照らして可能である、または本教示の実践から取得されてもよい。加えて、説明される実装は、ソフトウェアを含むが、本教示は、ハードウェアおよびソフトウェアの組み合わせとして、またはハードウェア単独において、実装されてもよい。本教示は、オブジェクト指向および非オブジェクト指向両方のプログラミングシステムによって実装されてもよい。
【００２２】
データ処理のシステムおよび方法
前述のように、窓化質量分析走査を使用して、質量範囲全体を走査するための一例示的方法は、逐次窓化取得（ＳＷＡＴＨ）と呼ばれる。しかしながら、ＳＷＡＴＨユーザは、ＳＷＡＴＨ実験数、蓄積時間、およびまたピークにわたるデータ点の数の平衡を保つ必要がある。
【００２３】
例えば、ＳＷＡＴＨ技法は、液体クロマトグラフィ連結質量分析（ＬＣＭＳ）分析において検出可能な全種に対して生成イオンスペクトルを生成するための方法を提供する。これは、着目質量範囲にわたって段階的である、広い前駆体選択窓を使用することによって達成される。例示的前駆体選択窓は、２５ａｍｕであるが、他の値およびさらに可変幅も、可能性として考えられる。窓幅および蓄積時間の選定は、以下のいくつかの考慮点を用いて、平衡を保つ。
【００２４】
第１に、液体クロマトグラフィ（ＬＣ）ピークの忠実性を保つために、理想的には、ピークあたり８〜１０のデータ点が、必要とされる。これは、サイクル毎に費やされ得る時間を定義する。
【００２５】
本方法の性質のため、データの最大有効範囲は、完全質量範囲が走査されるときに生じる。これは、いくつかのステップ（窓）が、質量範囲を網羅するために要求される結果をもたらす。
【００２６】
高度な選択性を維持するために、窓は、可能な限り狭く、窓あたり数個の前駆体をもたらすことが要求される。これは、断片イオン干渉の機会をほとんどもたらさない。これはまた、窓の数を増加させ、窓毎に要求される時間を削減する。
【００２７】
最後に、ダイナミックレンジおよび感度の両方を最大限にするために、最大蓄積時間が、窓毎に要求される。
【００２８】
図２は、種々の実施形態による、同一の数の重複測定質量選択窓幅を伴う、均一長の標的質量選択窓幅を走査するために使用される、均一長の重複測定質量選択窓幅の質量有効範囲の例証２００である。質量範囲２１０は、例えば、標的質量選択窓幅Ｂ、Ｃ、およびＤを使用した領域に及ぶ。標的質量選択窓幅あたりの標的時間は、ｔである。標的質量選択窓幅Ｂ、Ｃ、およびＤに対応する重複を伴う、より広い測定された質量選択窓幅走査１、走査２、走査３、および走査４を使用して、同等情報が、より少ない時間内に抽出される。例えば、式１は、質量窓Ｃを２回網羅することによって、正しい有効範囲が、時間ｔの半分の間、各窓を分析することによって求められることを示す。
２Ｃ＝走査２＋走査３−走査１−走査４（１）
【００２９】
例証２００は、効果的走査窓が実際に使用される幅の半分であるように、測定された質量選択窓幅が、標的質量選択窓幅の５０％だけオフセットされることを示す。図２では、各標的質量選択窓幅は、２つの測定された質量選択窓幅によって重複される。より多くの重複もまた、より多いまたはより広い測定された質量選択窓幅とともに提供され、さらに、蓄積時間を短縮し、より狭い効果的幅を得ることができる。より多くの重複は、単に、所望の結果を生成するために加減される走査の数を増加させる。本方法は、狭い標的窓および測定窓毎に費やされるより少ない時間の利点を維持しながら、より広い測定窓が、使用されることを可能にする。
【００３０】
図２では、測定された質量選択窓幅および標的質量選択窓幅は両方とも、均一幅を有する。種々の実施形態では、測定された質量選択窓幅、標的質量選択窓幅、または両幅は、可変であることができる。図２では、各標的質量選択窓幅に対応する測定された質量選択窓幅の重複数は、均一である。種々の実施形態では、標的質量選択窓幅に対応する測定された質量選択窓幅の重複数は、可変であることができる。種々の実施形態では、測定または標的窓幅あるいは測定された質量選択窓幅の重複数の任意の組み合わせが、使用されることができる。
【００３１】
図３は、種々の実施形態による、同一の数の重複測定質量選択窓幅を伴う、可変長の標的質量選択窓幅を走査するために使用される、可変長の重複測定質量選択窓幅の質量有効範囲の例証３００である。図３では、例えば、標的質量選択窓幅ＢおよびＣは、異なる幅を有し、測定された質量選択窓幅走査１および走査２は、異なる幅を有する。
【００３２】
図４は、種々の実施形態による、可変数の重複測定質量選択窓幅を伴う、均一長の標的質量選択窓幅を走査するために使用される、均一長の重複測定質量選択窓幅の質量有効範囲の例証４００である。図４では、例えば、標的質量選択窓幅ＢおよびＣに対応する、測定された質量選択窓幅の重複数は、異なる。
【００３３】
タンデム質量分析システム
図５は、種々の実施形態による、重複測定質量選択窓幅を使用して、試料を分析するためのシステム５００を示す、概略図である。システム５００は、タンデム質量分析計５１０およびプロセッサ５２０を含む。プロセッサ５２０は、限定ではないが、コンピュータ、マイクロプロセッサ、または制御信号およびデータを質量分析計５１０から送受信し、データを処理可能な任意のデバイスであることができる。
【００３４】
タンデム質量分析計５１０は、２つ以上の質量分析を行う、１つ以上の物理的質量分析器を含むことができる。タンデム質量分析計の質量分析器として、飛行時間（ＴＯＦ）、四重極、イオントラップ、線形イオントラップ、オービトラップ、またはフーリエ変換質量分析器が挙げられ得るが、それらに制限されない。タンデム質量分析計５１０はまた、分離デバイス（図示せず）を含むことができる。分離デバイスは、液体クロマトグラフィ、ガスクロマトグラフィ、キャピラリー電気泳動、またはイオン移動度を含むが、それらに制限されない、分離技法を行うことができる。タンデム質量分析計５１０は、それぞれ、空間または時間において、質量分析段階またはステップの分離を含むことができる。
【００３５】
タンデム質量分析計５１０は、重複測定質量選択窓幅を可能にする、質量分析器を含む。
【００３６】
プロセッサ５２０は、タンデム質量分析計５１０と通信する。プロセッサ５２０は、試料の質量範囲を２つ以上の標的質量選択窓幅に分割する。２つ以上の標的質量選択窓幅は、最小選択要件に基づく。２つ以上の標的質量選択窓幅は、同一の幅または可変幅を有することができる。
【００３７】
プロセッサ５２０は、タンデム質量分析計５１０に、質量範囲にわたって、２つ以上の断片化走査を行うように命令する。２つ以上の断片化走査の各断片化走査は、測定された質量選択窓幅を有する。２つ以上の断片化走査の２つ以上の測定された質量選択窓幅は、同一の幅または可変幅を有することができる。２つ以上の測定された質量選択窓幅のうちの少なくとも２つは、重複する。測定された質量選択窓幅内の重複は、２つ以上の標的質量選択窓幅の少なくとも１つの標的質量選択窓幅に対応する。
【００３８】
タンデム質量分析方法
図６は、種々の実施形態による、重複質量選択窓幅を使用して、試料を分析するための方法６００を示す、例示的流れ図である。
【００３９】
方法６００のステップ６１０では、試料の質量範囲は、プロセッサを使用して、２つ以上の標的質量選択窓幅に分割される。
【００４０】
ステップ６２０では、タンデム質量分析計は、プロセッサを使用して、質量範囲にわたって、２つ以上の断片化走査を行うように命令される。２つ以上の断片化走査の各断片化走査は、測定された質量選択窓幅を含む。２つ以上の断片化走査のうちの少なくとも２つの断片化走査の測定された質量選択窓幅内の重複は、２つ以上の標的質量選択窓幅の少なくとも１つの標的質量選択窓幅に対応する。
【００４１】
タンデム質量分析コンピュータプログラム製品
種々の実施形態では、コンピュータプログラム製品は、有形コンピュータ可読記憶媒体を含み、そのコンテンツは、重複質量選択窓幅を使用して、試料を分析するための方法を行うように、プロセッサ上で実行される命令を伴う、プログラムを含む。本方法は、１つ以上の個別のソフトウェアモジュールを含む、システムによって行われる。
【００４２】
図７は、種々の実施形態による、重複測定質量選択窓幅を使用して、試料を分析するための方法を行う、１つ以上の個別のソフトウェアモジュールを含む、システム７００の概略図である。システム７００は、分析モジュール７１０および断片化走査モジュール７２０を含む。
【００４３】
分析モジュール７１０は、試料の質量範囲を２つ以上の標的質量選択窓幅に分割する。断片化走査モジュール７２０は、タンデム質量分析計に、質量範囲にわたって、２つ以上の断片化走査を行うように命令する。２つ以上の断片化走査の各断片化走査は、測定された質量選択窓幅を含む。２つ以上の断片化走査のうちの少なくとも２つの断片化走査の測定された質量選択窓幅内の重複は、２つ以上の標的質量選択窓幅の少なくとも１つの標的質量選択窓幅に対応する。
【００４４】
本教示は、種々の実施形態と併せて説明されるが、本教示が、そのような実施形態に制限されることを意図するものではない。対照的に、本教示は、当業者によって理解されるように、種々の代替、修正、および均等物を包含する。
【００４５】
さらに、種々の実施形態の説明において、本明細書は、ステップの特定のシーケンスとして、方法および／またはプロセスを提示し得る。しかしながら、方法またはプロセスが、本明細書に記載されるステップの特定の順序に依拠しない程度において、方法またはプロセスは、説明されるステップの特定のシーケンスに制限されるべきではない。当業者が理解するであろうように、ステップの他のシーケンスも可能であり得る。したがって、本明細書に記載されるステップの特定の順序は、請求項に関する制限として解釈されるべきでない。加えて、方法および／またはプロセスを対象とする請求項は、そのステップの実施を書かれた順序に制限されるべきではなく、当業者は、シーケンスが、変動されてもよく、依然として、種々の実施形態の精神および範囲内にあることを容易に理解することができる。
【図５】
2015517723.tif 000003
【図１】
2015517723.tif 000004
【図２】
2015517723.tif 000005
【図３】
2015517723.tif 000006
【図４】
2015517723.tif 000007
【図６】
2015517723.tif 000008
【図７】
2015517723.tif 000009
【国際調査報告】
2015517723.tif 000010
2015517723.tif 000011